(57)【特許請求の範囲】
【請求項１】
内部に水を貯留可能なタンクと、このタンクに設けられた給水パイプとを備えたジョウロであって、
前記タンクの側面から側方かつ斜め上方に向かい、かつ同一方向側へ向かって複数の給水パイプが設けられているとともに、前記タンクの上部に設けられた取っ手に加え、該タンクの左右にもそれぞれ取っ手が設けられ、
かつ、前記複数の給水パイプの内少なくとも一つのパイプの少なくとも一部が蛇腹で構成されていることを特徴とするジョウロ。
【請求項２】
請求項１において、
前記給水パイプは、前記タンクの上下方向に複数設けたことを特徴とするジョウロ。
【請求項３】
請求項１において、
前記給水パイプは、前記タンクの左右方向に複数設けたことを特徴とするジョウロ。
【発明の詳細な説明】
【技術分野】
【０００１】
本発明は、ジョウロ（水差しを含む）に関するものである。
【背景技術】
【０００２】
従来、ジョウロとして、例えば特許文献１に見られるように、内部に水を貯留可能なタンク（１）と、このタンク（１）に設けられた給水パイプ（３）とを備えた給水具が知られている。給水パイプ（３）の先端にシャワーヘッド（５）を設ければジョウロになるし、シャワーヘッド（５）を取り外せば水差しになる。
【０００３】
また、従来、特許文献２に見られるように、タンク（１）の前後に、種類の違う放水口（２）（３）を設けて、放水口（例えばシャワーヘッド）を着脱することなく、放水の種類を変えることができるようにしたジョウロも知られている。
【先行技術文献】
【特許文献】
【０００４】
【特許文献１】特開2011-087521号公報
【特許文献２】特開平10-323132号公報
【発明の概要】
【発明が解決しようとする課題】
【０００５】
従来のジョウロは、タンクから同一方向側へ出ているパイプは１本であった。
そのため、多数のプランターや鉢に給水する場合、その作業が大変であった。
本発明が解決しようとする課題は、多数のプランターや鉢への給水を楽に行うことができるジョウロを提供することである。
【課題を解決するための手段】
【０００６】
上記課題を解決するために本発明のジョウロは、内部に水を貯留可能なタンクと、このタンクに設けられた給水パイプとを備えたジョウロであって、
前記タンクの側面から側方かつ斜め上方に向かい、かつ同一方向側へ向かって複数の給水パイプが設けられているとともに、前記タンクの上部に設けられた取っ手に加え、該タンクの左右にもそれぞれ取っ手が設けられ、
かつ、前記複数の給水パイプの内少なくとも一つのパイプの少なくとも一部が蛇腹で構成されていることを特徴とする。
このジョウロによれば、タンクの側面から側方かつ斜め上方に向かい、かつ同一方向側へ向かって複数の給水パイプが設けられているので、プランターや鉢へ給水を行う際、複数の給水パイプから同時に放水して同時に複数のプランターや鉢に給水することができる。
したがって、多数のプランターや鉢への給水を楽に行うことができるようになる。
しかも、このジョウロは、前記複数の給水パイプの内少なくとも一つのパイプの少なくとも一部が蛇腹で構成されているので、蛇腹の伸縮性ないし屈曲性を利用して給水パイプ先端の放水口相互間の配置を調整できるようになる。
したがって、プランターや鉢の配置状況に応じた良好な給水が可能となる。
【０００７】
このジョウロにおいては、前記給水パイプは、前記タンクの上下方向に複数設けた構成とすることができる。
このように構成すると、例えば左右方向に向かって複数列配置されたプランターや鉢に同時に容易に給水することができる。
【０００８】
このジョウロにおいては、前記給水パイプは、前記タンクの左右方向に複数設けた構成とすることができる。
このように構成すると、例えば左右方向に並べて配置されたプランターや鉢に同時に容易に給水することができる。
【０００９】
。
【図面の簡単な説明】
【００１０】
【図１】本発明に係るジョウロの一実施の形態を示す図で、（ａ）は平面図、（ｂ）は正面図。
【図２】（ａ）（ｂ）はそれぞれ変形例を示す正面図。
【図３】他の実施の形態を示す図で、（ａ）は平面図、（ｂ）は正面図。
【図４】（ａ）（ｂ）はそれぞれ変形例を示す平面図。
【発明を実施するための形態】
【００１１】
以下、本発明に係るジョウロの実施の形態について図面を参照して説明する。なお、各図において、同一部分ないし相当する部分には、同一の符号を付してある。
【００１２】
図１に示すジョウロ１０は、内部に水を貯留可能なタンク１１と、このタンク１１に設けられた給水パイプ１２とを備えており、タンク１１の側面から側方かつ斜め上方に向かい、かつ同一方向側（図１において左側であり、通常の使用時においては前側）へ向かって複数の給水パイプ１２、１２が設けられている。図示の給水パイプ１２は、２本としたが、３本以上設けることも可能である。
【００１３】
このジョウロ１０によれば、タンク１１から同一方向側へ向かって複数の給水パイプ１２が設けられているので、プランターや鉢へ給水を行う際、複数の給水パイプ１２から同時に放水して同時に複数のプランターや鉢に給水することができる。
したがって、多数のプランターや鉢への給水を楽に行うことができるようになる。
【００１４】
このジョウロ１０は、公知の材料、例えばブリキ、合成樹脂等で構成することができる。
タンク１１の上部には、取っ手１３が設けられている。
タンク１１の左右には、取っ手１４が設けられている。
タンク１１の上部には、水を入れるための開口１１ｂが設けられている。
図示の給水パイプ１２の先端には、シャワーヘッド１２ｓが着達可能に設けられている。
シャワーヘッド１２ｓを取り外すことで、ジョウロ１０は水差しとしても使用することができる。
【００１５】
図１に示すジョウロ１０においては、給水パイプ１２は、タンク１１の上下方向に複数設けられている。
このように構成すると、例えば左右方向に向かって複数列（図１においては２列）配置されたプランターや鉢Ｐに同時に容易に給水することができる。
【００１６】
図１に示すジョウロ１０においては、複数の給水パイプ１２は、タンク１１に対して独立した状態で設けたが、図２（ａ）に示すように、タンク１１にメインの給水パイプ１２ｍを設け、それを途中から分岐させることで複数の給水パイプ１２とすることもできる。
【００１７】
また、例えば図２（ｂ）に示すように、複数の給水パイプ１２の内少なくとも一つのパイプの少なくとも一部を蛇腹１２ｂとする。蛇腹１２ｂは、すべての給水パイプ１２に設けても良いし、また、給水パイプ１２全体を蛇腹としても良い。
このように構成すると、蛇腹の伸縮性ないし屈曲性を利用して給水パイプ１２先端の放水口（図示のものはシャワーヘッド１２ｓ）相互間の配置を調整できるようになる。
したがって、プランターや鉢Ｐの配置状況に応じた良好な給水が可能となる。
【００１８】
図３に示すように、給水パイプ１２は、タンク１１の左右方向に複数設けることもできる。
このように構成すると、例えば仮想線で示すように左右方向（図３（ａ）の紙面において上下方向）に並べて配置されたプランターや鉢Ｐに同時に容易に給水することができる。
【００１９】
図３に示すジョウロ１０においては、複数の給水パイプ１２は、タンク１１に対して独立した状態で設けたが、図４（ａ）に示すように、タンク１１にメインの給水パイプ１２ｍを設け、それを途中から分岐させることで複数の給水パイプ１２とすることもできる。
【００２０】
また、例えば図４（ｂ）に示すように、複数の給水パイプ１２の内少なくとも一つのパイプの少なくとも一部を蛇腹１２ｂとする。蛇腹１２ｂは、すべての給水パイプ１２に設けても良いし、また、給水パイプ１２全体を蛇腹としても良い。
このように構成すると、蛇腹の伸縮性ないし屈曲性を利用して給水パイプ１２先端の放水口（図示のものはシャワーヘッド１２ｓ）相互間の配置を調整できるようになる。
したがって、プランターや鉢Ｐの配置状況に応じた良好な給水が可能となる。
【００２１】
以上、本発明の実施の形態について説明したが、本発明は上記の実施の形態に限定されるものではなく、本発明の要旨の範囲内において適宜変形実施可能である。
【符号の説明】
【００２２】
１０：    ジョウロ
１１：    タンク
１２：    給水パイプ
１２ｂ：  蛇腹
【要約】
【課題】多数のプランターや鉢への給水を楽に行うことができる給水具を提供する。
【解決手段】給水具１０は、内部に水を貯留可能なタンク１１と、タンク１１に設けられた給水パイプ１２とを備えており、タンク１１から同一方向側へ向かって複数の給水パイプ１２、１２が設けられている。この給水具１０によれば、タンク１１から同一方向側へ向かって複数の給水パイプ１２が設けられているので、プランターや鉢へ給水を行う際、複数の給水パイプ１２から同時に放水して同時に複数のプランターや鉢に給水することができる。したがって、多数のプランターや鉢への給水を楽に行うことができるようになる。
【選択図】図１【図１】
0005426797.tif 000002
【図２】
0005426797.tif 000003
【図３】
0005426797.tif 000004
【図４】
0005426797.tif 000005